(57)【要約】【課題】ユーザの利便性および省エネの効率性に優れた機器制御装置、機器制御システムおよび機器制御方法を提供する。【解決手段】最適スケジューラ２０１は、目的情報を受け付け、その目的情報に応じて、発電装置３０、蓄電装置４０および機器１０−１〜１０−ｎの各運転計画を作成し、発電装置３０および蓄電装置４０の運転計画に従って、発電装置３０および蓄電装置４０を制御する。制御コントローラ２０３は、最適スケジューラ２０１にて作成された機器１０−１〜１０−ｎの運転計画と、制御条件選択装置２０２にて受け付けられた機器１０−１〜１０−ｎの制御条件に基づいて、機器１０−１〜１０−ｎを制御する。【選択図】図１
2008289276.tif 000002
【特許請求の範囲】
【請求項１】
ユーザの管理下にある電力供給装置と、前記電力供給装置からの電力および商用電源からの電力のいずれでも駆動可能であり前記ユーザの管理下にある電気機器と、に接続する機器制御装置であって、
前記電気機器の制御目的を示す目的情報を受け付け、当該目的情報に応じて前記電力供給装置および前記電気機器の各運転計画を作成し、前記電力供給装置の運転計画に従って前記電力供給装置を制御するスケジュール作成手段と、
前記電気機器の制御条件を受け付ける受付手段と、
前記電気機器の運転計画と前記電気機器の制御条件に基づいて、前記電気機器を制御するコントロール手段と、を有することを特徴とする機器制御装置。
【請求項２】
請求項１に記載の機器制御装置において、
前記電気機器は、前記ユーザの管理下にある太陽光発電装置からの電力でも駆動可能であり、
前記スケジュール作成手段は、前記太陽光発電装置の動作環境を示す環境情報を受け付け、当該環境情報に基づいて、前記太陽光発電装置の発電量を予測し、当該発電量と前記目的情報とに基づいて、前記電力供給装置および前記電気機器の運転計画を作成することを特徴とする機器制御装置。
【請求項３】
請求項１に記載の機器制御装置において、
前記スケジュール作成手段は、前記電気機器の駆動に関する制約条件を受け付け、前記目的情報に基づいて、前記制約条件を満足する、前記電力供給装置および前記電気機器の運転計画を作成することを特徴とする機器制御装置。
【請求項４】
請求項１〜３のいずれか１項に記載の機器制御装置において、
前記電気機器は、複数あり、
前記受付手段は、前記複数の電気機器のうち前記電気機器の運転計画に基づいて制御される電気機器をユーザに選択させ、当該選択結果を、前記制御条件として受け付け、
前記コントロール手段は、前記複数の電気機器のうち前記選択された電気機器のみを、前記電気機器の運転計画に基づいて制御することを特徴とする機器制御装置。
【請求項５】
請求項１〜４に記載の機器制御装置において、
前記運転計画を表示する表示手段をさらに有することを特徴とする機器制御装置。
【請求項６】
請求項１〜５に記載の機器制御装置において、
前記コントロール手段は、前記選択されなかった電気機器については、ユーザによる制御操作を許容することを特徴とする機器制御装置。
【請求項７】
請求項４〜６のいずれか１項に記載の機器制御装置において、
前記受付手段は、前記選択された電気機器について、制御期間をユーザに選択させ、当該選択結果を、前記制御条件としてさらに受け付け、
前記コントロール手段は、前記複数の電気機器のうち前記選択された電気機器のみを、前記選択された期間のみ、前記電気機器の運転計画に基づいて制御することを特徴とする機器制御装置。
【請求項８】
請求項１〜７のいずれか１項に記載の機器制御装置と、ユーザの管理下にある電力供給装置と、前記電力供給装置からの電力および商用電源からの電力のいずれでも駆動可能であり前記機器制御装置にて制御され前記ユーザの管理下にある電気機器と、を有することを特徴とする機器制御システム。
【請求項９】
ユーザの管理下にある電力供給装置と、前記電力供給装置からの電力および商用電源からの電力のいずれでも駆動可能であり前記ユーザの管理下にある電気機器と、に接続する機器制御装置が行う機器制御方法であって、
前記電気機器の制御目的を示す目的情報を受け付け、当該目的情報に応じて前記電力供給装置および前記電気機器の各運転計画を作成し、前記電力供給装置の運転計画に従って前記電力供給装置を制御するスケジュール作成ステップと、
前記電気機器の制御条件を受け付ける受付ステップと、
前記電気機器の運転計画と前記電気機器の制御条件に基づいて、前記電気機器を制御するコントロールステップと、を有することを特徴とする機器制御方法。
【発明の詳細な説明】
【技術分野】
【０００１】
本発明は、制御装置が、家庭や事業所などの電力需要家内の複数の機器の動作や運転条件などを自動的に制御もしくは制限することにより、需要家内の省エネルギー（省エネ）、省電力化、エネルギーコストの削減などを行うデマンドサイドマネジメント（ＤＳＭ）システムに関するものである。
【背景技術】
【０００２】
家庭や事業所などの電力需要家内の複数の機器を制御して、省エネ、省電力化、エネルギーコストの削減などを行うＤＳＭシステムが知られている（非特許文献１参照）。
【０００３】
従来のＤＳＭシステムの構成を図３に示す。従来のＤＳＭシステムは、需要家内の機器１００および制御装置２００から構成され、機器１００は、複数の機器１００−１〜１００−ｎから構成される。従来のＤＳＭシステムの動作を以下に示す。
【０００４】
機器１００−１〜１００−ｎは、商用電源等の電源３００に接続され、動作を行う。制御装置２００は、気温、明るさ、湿度などの環境情報、時刻情報、人の有無など様々な情報をもとに、予め設定した条件に従うように機器１００−１〜１００−ｎの動作や運転条件を自動的に制御もしくは制限する。これにより、機器１００−１〜１００−ｎの消費電力は削減される。
【非特許文献１】武蔵工業大学、環境情報学部、情報メディアセンタージャーナル、２００５．４、第６号「石川・諏訪：家庭用住宅システムにおける省電力化技術に関する研究」、［平成１９年５月１５日検索］インターネット＜ＵＲＬ：http://www.yc.musashi-tech.ac.jp/~cisj/06/06_09.pdf
【発明の開示】
【発明が解決しようとする課題】
【０００５】
従来のＤＳＭシステムにより、機器で消費される電力を自動的に削減することが可能になり、エネルギーコスト・省エネ等が可能になる。
【０００６】
しかしながら、従来のＤＳＭシステムには以下のような問題点がある。
【０００７】
最近の需要家内には、電力を消費する機器に加えて、燃料電池、太陽光発電装置などの発電装置や、それに付随して電力を一時的に蓄えて有効利用する蓄電装置などからなる電力供給装置が設置される場合が多い。
【０００８】
これらの電力供給装置の状態によって、機器が動作すべき時間帯や運転状態が変わることが想定されるにもかかわらず、従来のＤＳＭシステムは、電力供給装置の動作を考慮することができない。このため、従来のＤＳＭシステムは、エネルギーコストの削減および省エネを効率的に行うことができない。
【０００９】
もっとも顕著な例としては、晴天時に太陽光発電装置の発電電力が余剰であるような条件でも、従来のＤＳＭシステムは、一律に機器の消費電力を下げるように制御する場合がある。この場合、機器の動作が必要以上に制限され、エネルギーコストの削減および省エネを効率的に行うことができない。
【００１０】
また、従来のＤＳＭシステムは、制御対象の機器の動作を強制的に制御するため、ユーザによっては機器を利用したいときに機器の利用に制限がかかるなど、ユーザの利便性を損なうという問題がある。
【００１１】
利便性が損なわれることを理由にＤＳＭシステムそのものの普及が広がらず、結果的に社会全体のエネルギーコスト、省エネの効果が小さくなり、環境に悪影響を与えるという問題がある。
【００１２】
本発明の目的は、ユーザの利便性および省エネの効率性に優れた機器制御装置、機器制御システムおよび機器制御方法を提供することである。
【課題を解決するための手段】
【００１３】
上記目的を達成するために、本発明による機器制御装置は、ユーザの管理下にある電力供給装置と、前記電力供給装置からの電力および商用電源からの電力のいずれでも駆動可能であり前記ユーザの管理下にある電気機器と、に接続する機器制御装置であって、前記電気機器の制御目的を示す目的情報を受け付け、当該目的情報に応じて前記電力供給装置および前記電気機器の各運転計画を作成し、前記電力供給装置の運転計画に従って前記電力供給装置を制御するスケジュール作成手段と、前記電気機器の制御条件を受け付ける受付手段と、前記電気機器の運転計画と前記電気機器の制御条件に基づいて、前記電気機器を制御するコントロール手段と、を有する。
【００１４】
また、本発明による機器制御システムは、前記機器制御装置と、ユーザの管理下にある電力供給装置と、前記電力供給装置からの電力および商用電源からの電力のいずれでも駆動可能であり前記機器制御装置にて制御され前記ユーザの管理下にある電気機器と、を有する。
【００１５】
また、本発明による機器制御方法は、ユーザの管理下にある電力供給装置と、前記電力供給装置からの電力および商用電源からの電力のいずれでも駆動可能であり前記ユーザの管理下にある電気機器と、に接続する機器制御装置が行う機器制御方法であって、前記電気機器の制御目的を示す目的情報を受け付け、当該目的情報に応じて前記電力供給装置および前記電気機器の各運転計画を作成し、前記電力供給装置の運転計画に従って前記電力供給装置を制御するスケジュール作成ステップと、前記電気機器の制御条件を受け付ける受付ステップと、前記電気機器の運転計画と前記電気機器の制御条件に基づいて、前記電気機器を制御するコントロールステップと、を有する。
【００１６】
上記各発明によれば、電気機器は、電気機器の運転計画と電気機器の制御条件に基づいて制御されるため、ユーザが、自己の希望する電気機器の制御条件を受付手段に入力すれば、電気機器の制御にユーザの希望が反映され、ユーザの利便性が向上する。また、目的情報に応じて、電力供給装置および電気機器の運転計画が作成されるので、電力供給装置の状態に応じて、電気機器を制御可能となり、効率的な省エネが実現可能になる。
【００１７】
なお、前記電気機器は、前記ユーザの管理下にある太陽光発電装置からの電力でも駆動可能であり、前記スケジュール作成手段は、前記太陽光発電装置の動作環境を示す環境情報を受け付け、当該環境情報に基づいて、前記太陽光発電装置の発電量を予測し、当該発電量と前記目的情報とに基づいて、前記電力供給装置および前記電気機器の運転計画を作成することが望ましい。
【００１８】
上記発明によれば、太陽光発電装置の発電量も考慮して、電力供給装置および電気機器の運転計画を作成することが可能になる。
【００１９】
また、前記スケジュール作成手段は、前記電気機器の駆動に関する制約条件を受け付け、前記目的情報に基づいて、前記制約条件を満足する、前記電力供給装置および前記電気機器の運転計画を作成することが望ましい。
【００２０】
上記発明によれば、電力供給装置および電気機器の運転計画を適切に作成することが可能になる。
【００２１】
また、前記電気機器は、複数あり、前記受付手段は、前記複数の電気機器のうち前記電気機器の運転計画に基づいて制御される電気機器をユーザに選択させ、当該選択結果を、前記制御条件として受け付け、前記コントロール手段は、前記複数の電気機器のうち前記選択された電気機器のみを、前記電気機器の運転計画に基づいて制御することが望ましい。
【００２２】
上記発明によれば、電気機器の運転計画に基づいて制御される電気機器を任意に選択することが可能となり、ユーザの利便性がさらに向上する。
【００２３】
また、機器制御装置は、前記運転計画を表示する表示手段をさらに有することが望ましい。
【００２４】
上記発明によれば、ユーザは、運転計画を参照して、電気機器の運転計画に基づいて制御される電気機器を任意に選択することが可能となり、ユーザの利便性がさらに向上する。
【００２５】
また、前記コントロール手段は、前記選択されなかった電気機器については、ユーザによる制御操作を許容することが望ましい。
【００２６】
上記発明によれば、ユーザは、自由に操作できる電気機器を設定することが可能となり、ユーザの利便性がさらに向上する。
【００２７】
また、前記受付手段は、前記選択された電気機器について、制御期間をユーザに選択させ、当該選択結果を、前記制御条件としてさらに受け付け、前記コントロール手段は、前記複数の電気機器のうち前記選択された電気機器のみを、前記選択された期間のみ、前記電気機器の運転計画に基づいて制御することが望ましい。
【００２８】
上記発明によれば、ユーザは、電気機器の運転計画に基づいて制御される期間を設定可能となり、ユーザの利便性がさらに向上する。
【発明の効果】
【００２９】
本発明によれば、ユーザの利便性および省エネの効率性を向上することが可能になる。
【発明を実施するための最良の形態】
【００３０】
以下、本発明の実施例を、図面を参照して説明する。
【００３１】
図１は、本発明の一実施例のＤＳＭシステムを示したブロック図である。
【００３２】
ＤＳＭシステムは、機器制御システムの一例であり、複数の機器（電気機器）１０−１〜１０−ｎ、制御装置２００、発電装置３０、蓄電装置４０、および太陽光発電装置５０を含む。発電装置３０と蓄電装置４０とは、電力供給装置７０に含まれる。なお、機器１０、発電装置３０、蓄電装置４０、および太陽光発電装置５０は、電力需要家であるユーザの管理下（例えば、ユーザが所有している状況）にある。また、機器１０の数は、１台以上であればよい。
【００３３】
制御装置２００は、機器制御装置の一例であり、最適スケジューラ２０１、制御条件選択装置２０２、制御コントローラ２０３、および表示器２０４−１〜２０４−ｎを含む。
【００３４】
発電装置３０は、商用電源６０に接続され、発電装置３０で発電した電力は、機器１０−１〜１０−ｎに供給されるか、蓄電装置４０に蓄電されるか、もしくは商用電源６０に逆潮流される。発電装置３０は、外部からの制御信号（具体的には、制御装置２００からの制御信号）により、起動、停止、発電電力量の調節など所望の動作が制御される。
【００３５】
太陽光発電装置５０は、商用電源６０に接続され、太陽光を電力に変換する機能を有し、発生した電力を、機器１０−１〜１０−ｎまたは蓄電装置４０に供給するか、もしくは商用電源６０に逆潮流する機能を有する。
【００３６】
蓄電装置４０は、商用電源６０に接続され、商用電源６０、発電装置３０あるいは太陽光発電装置５０から供給される電力を充電する機能と、蓄電装置４０に蓄えられた電力を放電し、機器１０−１〜１０−ｎに供給する機能を有する。蓄電装置４０は、外部からの制御信号（具体的には、制御装置２００からの制御信号）により、充電、放電、停止など所望の動作が制御される。
【００３７】
なお、機器１０−１〜１０−ｎは、発電装置３０、蓄電装置４０、太陽光発電装置５０および商用電源６０から供給される電力のいずれも電源として使用でき、その電源を用いて駆動可能である。機器１０−１〜１０−ｎは、外部からの制御信号（具体的には、制御装置２００からの制御信号）により、起動、停止、動作時間帯の制限、動作状態の変更など所望の動作が制御される。
【００３８】
制御装置２００は、例えば、消費エネルギーの削減、消費電力の削減、エネルギーコストの削減、二酸化炭素排出量の最小化等の制御の目的を示す目的情報を受け付け、その目的情報に従って、発電装置３０、蓄電装置４０および機器１０−１〜１０−ｎを制御する。
【００３９】
最適スケジューラ２０１は、スケジュール作成手段の一例であり、目的情報を受け付け、その目的情報に応じて、発電装置３０、蓄電装置４０および機器１０−１〜１０−ｎの各運転計画を互いに関連づけて作成し、発電装置３０および蓄電装置４０の運転計画に従って、発電装置３０および蓄電装置４０を制御する。
【００４０】
制御条件選択装置２０２は、受付手段の一例であり、機器１０−１〜１０−ｎの制御条件をユーザから受け付ける。
【００４１】
制御コントローラ２０３は、コントロール手段の一例であり、機器１０−１〜１０−ｎの運転計画と機器１０−１〜１０−ｎの制御条件に基づいて、機器１０−１〜１０−ｎを制御する。
【００４２】
表示器２０４−１〜２０４−ｎは、表示手段の一例であり、最適スケジューラ２０１が作成した運転計画を表示する。
【００４３】
次に、ＤＳＭシステムの動作を説明する。
【００４４】
最適スケジューラ２０１は、数分後、数時間後、翌日、翌週、翌月など、将来の太陽光発電装置５０の発電電力や、機器１０−１〜１０−ｎそれぞれに要求される需要を予測する機能を有する。
【００４５】
さらに、最適スケジューラ２０１は、目的情報に基づいて、発電装置３０、蓄電装置４０および機器１０−１〜１０−ｎの運転計画のスケジューリングを行う機能と、そのスケジューリング結果に基づき、発電装置３０、蓄電装置４０および機器１０−１〜１０−ｎを操作するための制御信号を出力する機能を有する。
【００４６】
具体的には、最適スケジューラ２０１は、まず、時刻情報と、当該時刻における気温情報、天候情報、買電価格、売電価格およびＣＯ２原単位等の各種必要情報と、機器１０−１〜１０−ｎ毎の制約条件、および、制御の目的たる消費エネルギーの削減、消費電力の削減、エネルギーコストの削減、二酸化炭素排出量の最小化などの目的関数を受け付ける。
【００４７】
機器１０−１〜１０−ｎ毎の制約条件は、例えば、各機器１０−１〜１０−ｎの消費電力量、各機器１０−１〜１０−ｎの１日の使用予定時間や、各機器１０−１〜１０−ｎの使用に関する優先順位等を含む。なお、機器１０−１〜１０−ｎ毎の制約条件は、上記に限らず適宜変更可能である。
【００４８】
続いて、最適スケジューラ２０１は、時刻情報と、当該時刻における気温情報、天候情報（環境情報）、買電価格、売電価格およびＣＯ２原単位等の各種必要情報と、機器１０−１〜１０−ｎ毎の制約条件に基づいて、将来の太陽光発電装置５０の発電電力量や、機器１０−１〜１０−ｎそれぞれに要求される需要を予測する。
【００４９】
続いて、最適スケジューラ２０１は、太陽光発電装置５０の発電電力予測、機器１０−１〜１０−ｎそれぞれの需要予測、各種必要情報、機器１０−１〜１０−ｎ毎の制約条件、および、目的関数に基づいて、機器１０−１〜１０−ｎ毎の制約条件を満足する、数分後、数時間後、翌日、翌週、翌月など、将来の発電装置３０、蓄電装置４０および機器１０−１〜１０−ｎの各運転計画のスケジューリングを行う。
【００５０】
続いて、最適スケジューラ２０１は、発電装置３０の運転計画に従って発電装置３０用の制御信号を生成し、発電装置３０用の制御信号を発電装置３０に出力して、発電装置３０を制御する。
【００５１】
また、最適スケジューラ２０１は、蓄電装置４０の運転計画に従って蓄電装置４０用の制御信号を生成し、蓄電装置４０用の制御信号を蓄電装置４０に出力して、蓄電装置４０を制御する。
【００５２】
また、最適スケジューラ２０１は、機器１０−１〜１０−ｎの各運転計画に従って機器１０−１〜１０−ｎ用の制御信号を生成し、機器１０−１〜１０−ｎ用の制御信号を制御コントローラ２０３に出力する。
【００５３】
制御条件選択装置２０２には、例えば図２に示すように、スケジューリング結果に基づき、それぞれの機器に対して、どのような制御を行うかを複数のプランとして予め示した情報が蓄えられており、制御条件選択装置２０２は、それらの情報をユーザに提示して、どのプランで機器１０−１〜１０−ｎを動作させるかをユーザに選択させる機能を有する。
【００５４】
例えば、プラン１は、ユーザの意思によらず、制御装置２００がすべての機器を強制的に運転計画に基づいて制御するプランである。
【００５５】
プラン２は、機器１０−１に関しては制御装置２００が強制的に制御するものの、機器１０−ｎに関しては、制御装置２００が制御を行わず、ユーザに対して、表示器２０４を介してスケジューリング結果を表示し、機器１０−ｎのふさわしい動作（運転計画）をユーザに伝えるプランである。
【００５６】
さらに、プラン２の機器１０−２のように、制御装置２００が強制的に制御を行わないものの、機器１０−２が動作できる時間帯（稼働時間）を制限し、稼働時間の範囲内であればユーザは機器１０−２を使用できるが、他の時間帯では使用できないなどの制御を行うプランなど、多様なプランが予め用意され、ユーザが任意にプランの中から欲するものを選択する。なお、稼働時間は、ユーザが任意に変更可能であってもよい。
【００５７】
制御条件選択装置２０２は、ユーザが選択したプランに応じた制御条件を制御コントローラ２０３に入力する。
【００５８】
制御コントローラ２０３は、制御条件に応じて、制御を行う機器には制御信号を送り、表示を行う場合には表示器２０４を通じてユーザに対してスケジューリング結果などを表示して、アドバイスの情報を伝える。
【００５９】
例えば、制御コントローラ２０３は、プラン２に応じた制御条件を受け付けた場合、機器１０−１には、機器１０−１用の制御信号を送り、機器１０−２には、稼働時間の範囲内であるときには制御信号を送らず、稼働時間の範囲外であるときには動作を停止させる制御信号を送り、機器１０−ｎには、制御信号を送らず表示器２０４−ｎに機器１０−ｎのスケジューリング結果などを表示する。
【００６０】
機器１０−１〜１０−ｎの内、制御信号を受信したものは、制御信号に従って動作し、制御信号を受信しないものは、ユーザの操作に従って動作する。このため、制御コントローラ２０３は、ある機器に対する制御信号の提供を停止することで、その機器に対するユーザによる制御操作を許容する。
【００６１】
なお、制御条件選択装置２０２は、ユーザにて選択されたプランを実行する期間（例えば、日ごと、時間帯）をユーザに任意に選択させ、その選択結果も制御コントローラ２０３に入力してもよい。この場合、制御コントローラ２０３は、その選択結果に示された期間だけ、ユーザにて選択されたプランを実行する。よって、ユーザは、機器の運転計画に基づいて制御される期間を設定可能となり、ユーザの利便性が向上する。
【００６２】
本実施例によれば、機器１０−１〜１０−ｎは、機器の運転計画と電気機器の制御条件に基づいて制御されるため、ユーザが、自己の希望する機器の制御条件を制御条件選択装置２０２に入力すれば、機器の制御にユーザの希望が反映され、ユーザの利便性が向上する。また、目的情報に応じて、電力供給装置７０および機器１０−１〜１０−ｎの運転計画が作成されるので、電力供給装置７０の状態に応じて、機器１０−１〜１０−ｎを制御可能となり、効率的な省エネが実現可能になる。
【００６３】
最適スケジューラ２０１は、天候情報（環境情報）に基づいて、太陽光発電装置５０の発電量を予測し、その発電量と目的情報とに基づいて、電力供給装置７０および機器１０−１〜１０−ｎの運転計画を作成する。この場合、太陽光発電装置５０の発電量も考慮して、電力供給装置７０および機器１０−１〜１０−ｎの運転計画を作成することが可能になる。
【００６４】
また、最適スケジューラ２０１は、目的情報に基づいて、機器の制約条件を満足する、電力供給装置７０および機器１０−１〜１０−ｎの運転計画を作成する。この場合、電力供給装置７０および機器１０−１〜１０−ｎの運転計画を適切に作成することが可能になる。
【００６５】
また、制御条件選択装置２０２は、複数の機器１０−１〜１０−ｎのうち機器の運転計画に基づいて制御される機器をユーザに選択させ、その選択結果を受け付け、制御コントローラ２０３は、複数の機器１０−１〜１０−ｎのうち、選択された機器のみを、機器の運転計画に基づいて制御する。この場合、ユーザは、機器の運転計画に基づいて制御される機器を任意に選択することが可能となり、ユーザの利便性がさらに向上する。
【００６６】
また、表示器２０４は、運転計画を表示するので、ユーザは、運転計画を参照して、機器の運転計画に基づいて制御される機器を任意に選択することが可能となり、ユーザの利便性がさらに向上する。例えば、ユーザは、表示器２０４を見て、ユーザの要望に応じた運転計画が作成されてない機器をチェックし、そのチェックされた機器が機器の運転計画に基づいて制御されない機器となる制御条件を、制御条件選択装置２０２に入力することが可能になる。
【００６７】
また、制御コントローラ２０３は、ユーザにて選択されなかった機器については、ユーザによる制御操作を許容する。この場合、ユーザは、自由に制御操作できる機器を設定することが可能となり、ユーザの利便性がさらに向上する。
【００６８】
なお、機器１０−１〜１０−ｎのそれぞれは、家庭や事業所などに置かれるすべての機器のいずれでもよく、例えば、照明機器、空調機器、情報機器、温水器、調理機器、冷蔵装置、洗濯機器または浴室機器のいずれでもよい。機器１０−１〜１０−ｎのそれぞれは、電源を利用して駆動するが、都市ガスや灯油なども燃料として併用してもよい。
【００６９】
発電装置３０は、リン酸型、固体高分子型、溶融炭酸塩型、固体酸化物型等の各種燃料電池、ガスエンジン発電機、ガスタービン発電機、ディーゼルエンジン発電機などの内燃式発電機など燃料により電力を発生するすべての機器のいずれでもよい。
【００７０】
蓄電装置４０は、鉛蓄電池、ニッケル水素電池、ニッカド電池などのアルカリ電池、リチウムイオン電池などすべての二次電池や、フラーホイールなどの機械式を含む電力を蓄積する機能を有するすべての機器のいずれでもよい。
【００７１】
太陽光発電装置５０は、結晶シリコン、非結晶シリコン、化合物系などすべての太陽電池を中心に構成される発電装置や、熱機関を利用した太陽熱発電装置など、太陽光により電力を発生するすべての装置のいずれでもよい。
【００７２】
最適スケジューラ２０１にて運転計画を作成するために使用されるアルゴリズムとしては、線形計画法を用いた最適化手法をはじめ、遺伝的アルゴリズムやタブーサーチなど非線形なメタヒューリスティック手法などすべての最適化アルゴリズムのいずれを利用してもよい。
【００７３】
なお、最適スケジューラ２０１は、目的情報に応じて、発電装置３０および機器１０−１〜１０−ｎの各運転計画を互いに関連づけて作成して、蓄電装置４０の運転計画を作成しなくてもよく、また、目的情報に応じて、蓄電装置４０および機器１０−１〜１０−ｎの各運転計画を互いに関連づけて作成して、発電装置３０の運転計画を作成しなくてもよい。この場合、最適スケジューラ２０１の負荷を減らすことが可能になる。
【００７４】
制御装置２００としては、専用の制御装置を使う場合、汎用のパーソナルコンピュータを使う場合をはじめ、制御装置２００の機能を実現する制御ソフトウェアを通信サーバ内に具備させ、その通信サーバが、発電装置３０、蓄電装置４０および機器１０−１〜１０−ｎを制御する場合など、さまざまな制御手段が該当する。
【００７５】
なお、その通信サーバは、ユーザの家の内に設置される場合をはじめ、ＤＳＭサービスを行う業者側に設置され、通信手段によって遠隔で発電装置３０、蓄電装置４０および機器１０−１〜１０−ｎを制御する場合など、設置場所を選ばない。通信手段としては、インターネット経由で制御を行う手段、インターネットと需要家内のＬＡＮを併用する場合、ＬＡＮとしては、無線ＬＡＮ、電力線通信を利用する場合などあらゆる通信手段を利用して実施する場合を含む。
【００７６】
本実施例によれば、需要家内に設置される、燃料電池、太陽光発電装置などの発電装置や、それに付随して電力を一時的に蓄えて有効利用する蓄電装置などの電力供給装置の状況も考慮して、需要家内の機器を最適に制御することができ、エネルギーコスト・省エネの効果が非常に大きくなるという効果がある。
【００７７】
また、制御対象の機器毎に、強制的制御を行う機器と、アドバイスのみを行い操作そのものは需要家の判断により需要家が行う機器とを需要家に選択させ、需要家の納得のもとで制御を行うことが可能となる。このため、需要家が利便性が損なわれることを理由にＤＳＭシステムそのものの普及が広がらないというデメリットが解消され、結果的に社会全体のエネルギーコスト、省エネの効果が大きくなり、環境に好影響を与えるという効果がある。
【００７８】
以上説明した実施例において、図示した構成は単なる一例であって、本発明はその構成に限定されるものではない。
【図面の簡単な説明】
【００７９】
【図１】本発明の一実施例のＤＳＭシステムを示したブロック図である。
【図２】制御条件選択装置２０２が有するプランの一例を示した説明図である。
【図３】従来のＤＳＭシステムを示したブロック図である。
【符号の説明】
【００８０】
１０−１〜１０−ｎ  機器
２００      制御装置
２０１      最適スケジューラ
２０２      制御条件選択装置
２０３      制御コントローラ
２０４−１〜２０４−ｎ  表示機
３０        発電装置
４０        蓄電装置
５０        太陽光発電装置
６０        商用電源
７０        電力供給装置
【図１】
2008289276.tif 000003
【図２】
2008289276.tif 000004
【図３】
2008289276.tif 000005